(57)【要約】【課題】呼吸孔からの水等の液体の浸入を確実に阻止でき、性能、信頼性等を高められるようにした磁気ディスク装置を提供する。【解決手段】ＨＤＤ１を構成する箱体１０のトップカバー１２には、ＨＤＤ１の内部と外部との気圧差をなくすための呼吸孔２０を形成する。そして、呼吸孔２０の大径孔２１内には防水繊維材３２等からなる繊維防水体３０を嵌合して取り付ける。また、呼吸孔２０の小径孔２２内には無数の細長い細孔４２Ａを束ねて形成された細孔防水体４０を装着する。【選択図】図２
2007272969.tif 000002
【特許請求の範囲】
【請求項１】
磁気記録媒体にデータの記録、再生を行うためのヘッドディスクアセンブリが内蔵された箱体を備え、
該箱体の壁面には呼吸孔が貫通して設けられ、
該呼吸孔内には、複数の細孔からなり液体が該細孔内に浸入したときの液体の表面張力を利用して前記箱体内への液体の浸入を防止する防水体を設けたことを特徴とする磁気ディスク装置。
【請求項２】
磁気記録媒体にデータの記録、再生を行うためのヘッドディスクアセンブリが内蔵された箱体を備え、
該箱体の壁面には呼吸孔が貫通して設けられ、
該呼吸孔内には、気体が流通するのを許して液体が流通するのを遮断する防水繊維材を設けたことを特徴とする磁気ディスク装置。
【請求項３】
磁気記録媒体にデータの記録、再生を行うためのヘッドディスクアセンブリが内蔵された箱体を備え、
該箱体の壁面には呼吸孔が貫通して設けられ、
該呼吸孔内に吸水したときに膨張して繊維間の隙間を埋める吸水ポリマーを混合した繊維材を設けたことを特徴とする磁気ディスク装置。
【請求項４】
磁気記録媒体にデータの記録、再生を行うためのヘッドディスクアセンブリが内蔵された箱体を備え、
該箱体の壁面には呼吸孔が貫通して設けられ、
該呼吸孔内には給水口を有する可撓性容器を設け、該可撓性容器内には前記吸水口を通じて該可撓性容器内に液体が浸入したときに前記液体を吸水して膨張する吸水ポリマーを収容して設けたことを特徴とする磁気ディスク装置。
【発明の詳細な説明】
【技術分野】
【０００１】
本発明は、例えばハードディスクドライブ装置等の磁気ディスク装置に関する。
【背景技術】
【０００２】
一般に、従来の磁気ディスク装置は、装置の外壁面に装置の外部と内部との間を連通する呼吸孔を穿設している。そして、この呼吸孔を通じて大気が装置内に出入りすることにより、磁気ディスクの回転起動時等に生じる装置の内部と外部との間の気圧差をなくし、装置の正常な動作を保持するようにしている（例えば特許文献１参照）。
【特許文献１】特開昭６２−７３４８４号公報
【発明の開示】
【発明が解決しようとする課題】
【０００３】
ところで、従来の磁気ディスク装置は室内に固定して使用するパソコン等に使用されるのが一般的であったため、磁気ディスク装置内への水等の液体の浸入は想定外であった。しかし、近年、磁気ディスク装置は、ＣＥ分野（ＭＰ３（MPEG Audio layer-3）プレイヤー、携帯電話、モバイルパソコン等）に使用されるようになり、水没、雨水等により水を始めとする液体の浸入の危険性が増大することとなった。磁気ディスク装置は精密機器であるため、磁気ディスクへの水等の液体の浸入は好ましくない。
【０００４】
本発明はこのような問題に鑑みてなされたもので、呼吸孔からの水等の液体の浸入を確実に阻止でき、性能、信頼性等を向上できるようにした磁気ディスク装置を提供することをその目的の一つとする。
【課題を解決するための手段】
【０００５】
前記従来技術の問題点を解決するための本発明に係る磁気ディスク装置は、磁気記録媒体にデータの記録、再生を行うためのヘッドディスクアセンブリが内蔵された箱体を備え、
該箱体の壁面には呼吸孔が貫通して設けられ、該呼吸孔内には、複数の細孔からなり液体が該細孔内に浸入したときの液体の表面張力を利用して前記箱体内への液体の浸入を防止する防水体を設けたことを特徴としている。
【発明を実施するための最良の形態】
【０００６】
本発明の磁気ディスク装置に係る実施の形態について、図１および図２参照しながら説明する。
【０００７】
本発明の実施の形態に係る磁気ディスク装置１（以下、ＨＤＤ１という）は、例えばハードディスクドライブ装置であり、図１および図２に示すように、箱体１０、繊維防水体３０、細孔防水体４０およびフィルタ内蔵ユニット５０を含んで構成されている。
【０００８】
箱体１０は鉄板等の金属材料を用いて直方体状をなす筐体として形成されている。そして、箱体１０は、その厚さ方向の一側（図２中の下端側）が閉塞されて他側（図２中の上端側）が開口した有底の角筒状をなす箱体本体１１と、箱体本体１１の開口端側を閉塞する略長方形の平板からなるトップカバー１２とにより構成されている。また、箱体本体１１は、第１の側壁部１１Ａ、第２の側壁部１１Ｂ、第３の側壁部１１Ｃ、第４の側壁部１１Ｄおよびこれら各側壁部１１Ａ〜１１Ｄに一体形成された底壁部１１Ｅにより構成されている。なお、トップカバー１２、各側壁部１１Ａ〜１１Ｄおよび底壁部１１Ｅは、特許請求の範囲にいう「壁面」に相当する。
【０００９】
また、箱体１０の内部には、スピンドルモータ（図示せず）によって回転駆動される複数枚の磁気記録ディスク１４（１枚のみ図示）と、ヘッドシンバルアセンブリ１５と、磁気記録ディスク１４にデータを書き込み及び／又は読み出す磁気ヘッド（図示せず）等が内蔵されている。なお、スピンドルモータ、磁気記録ディスク１４、ヘッドシンバルアセンブリ１５および磁気ヘッド等を総称してヘッドディスクアセンブリと呼ぶ。
【００１０】
トップカバー１２には箱体本体１１の第１の側壁部１１Ａと第３の側壁部１１Ｃとの角隅側に位置して円形の段付き穴からなる呼吸孔２０が形成されている。また、この呼吸孔２０は図２に示すように、上側部位が大径孔２１となり、大径孔２１の下側部位は小径孔２２となっている。そして、呼吸孔２０は、呼吸孔２０を通じて箱体１０内に空気等の気体が出入りすることにより箱体１０の内部と外部の圧力差、温度差等をなくすものである。
【００１１】
繊維防水体３０は、図３に示すように、繊維取付枠３１と繊維取付枠３１内に取り付けられた防水繊維材３２とにより構成されている。そして、繊維取付枠３１は例えばプラスチック等により環状の枠体として形成され、呼吸孔２０の大径孔２１内に接着材等を用いて嵌合して固定されている。また、防水繊維材３２は、例えば親水性の直鎖状あるいは分岐状高分子の架橋体からなる高吸水性樹脂等を用いて円板状に形成され、繊維取付枠３１内に固定して取り付けられている。この高吸水性樹脂は、三次元網目構造を有する多孔質体で、水と接触すると水に溶けようとする力で吸水し、呼吸孔２０から箱体１０内への水等の液体の浸入を阻止すると共に大気の通過を許すものである。
【００１２】
細孔防水体４０は、図４に示すように細孔取付ケース４１と細孔取付ケース４１内に取り付けられた防水細孔材４２とにより構成されている。そして、細孔取付ケース４１は例えばプラスチック等を用いて円筒状に形成され、呼吸孔２０の小径孔２２内に接着材等を用いて嵌合して固定されている。また、防水細孔材４２には、細孔取付ケース４１の軸方向に沿って細長く延びる複数の細孔４２Ａが形成されている。そして、防水細孔材４２は細孔取付ケース４１内に固定して取り付けられている。そして、細孔防水体４０の防水細孔材４２は、液体が各細孔４２Ａ内に浸入したときの液体の表面張力を利用して箱体１０内への液体の浸入を繊維防水体３０と共に遮断するものである。
【００１３】
フィルタ内蔵ユニット５０は、フィルタ５１、内側ユニットケース５２、外側ユニットケース５３により構成されており、呼吸孔２０を覆うようにトップカバー１２の内表面に設けられている。そして、フィルタ４０は、活性炭やシリカゲル等からなるガス吸着材を用いて形成されている。また、内側ユニットケース５２は、円柱状をなす側面部５２Ａと、側面部５２Ａの一方の端部から径方向内側に向けて延びる上面部５２Ｂと、側面部５２Ａの他方の端部から径方向内側に向けて延びる他の上面部５２Ｃとを有している。
【００１４】
さらに、外側ユニットケース５３は、内側ユニットケース５２の側面部５２Ａの外周側に嵌合して固定された側面部５３Ａと、側面部５３Ａの上端部から径方向内側に向けて延び、内側ユニットケース５２の上面部５２Ｂ，５２Ｃに衝合して取り付けられた環状の上面部５３Ｂと、側面部５３Ａの下側の開口端を閉塞する下面部５３Ｃとを有している。そして、外側ユニットケース５３は、上面部５３Ｂが呼吸孔２０の小径孔２２の外縁側に位置してトップカバー１２の内表面に接着材等を用いて固定して取り付けられている。また、外側ユニットケース５３の下面部５３Ｃは通気性を有する部材によって形成されている。
【００１５】
なお、トップカバー１２の外表面には、呼吸孔２０の大径孔２１の外縁側に位置して環状の撥水材５４が固定して取り付けられている。
【００１６】
このように構成される本実施の形態に係るＨＤＤ１は、箱体１０内に内蔵されたスピンドルモータによって回転駆動される磁気記録ディスク１４に対してヘッドシンバルアセンブリ１５の先端側に設けられた磁気ヘッドによりデータを書き込み及び／又は読み出すようにしている。
【００１７】
ここで、本実施の形態に係るＨＤＤ１によれば、箱体１０の呼吸孔２０に繊維防水体３０および細孔防水体４０を装着する構成としたので、ＨＤＤ１の呼吸孔２０に水等の液体が図２中の矢印Ａ方向から浸入した場合でも、これら繊維防水体３０および細孔防水体４０により液体を確実に吸着することができる。
【００１８】
従って、本実施の形態によれば、繊維防水体３０および細孔防水体４０により水等の液体が箱体１０内に浸入する不具合を解消して、ＨＤＤ１の性能、信頼性等を高めることができる。
【００１９】
しかも、箱体１０には呼吸孔２０を塞ぐようにフィルタ内臓ユニット５０を設ける構成としたので、このフィルタ内蔵ユニット５０に内蔵された活性炭やシリカゲル等からなるガス吸着材により図２中の矢印Ｂ方向へと呼吸孔２０を通じて箱体１０内に侵入する有害なガスを効率的に除去することができ、ＨＤＤ１の性能、信頼性等をより一層高めることができる。
【００２０】
次に、図５ないし図８は本発明の実施の形態の別態様を示している。なお、以下ではすでに説明した態様のものと同じ構成要素に同一の番号を付し、その説明を省略するものとする。
【００２１】
本態様に係るＨＤＤ６０は、図５に示すように箱体１０、繊維防水体８０，８０、フィルタ内蔵ユニット５０を含んで構成されている。
【００２２】
箱体１０のトップカバー１２には、箱体本体１１の第１の側壁部１１Ａと第３の側壁部１１Ｃとの角隅側に位置して円形の段付き穴からなる呼吸孔７０が形成されている。そして、呼吸孔２０は図５に示すように、上側部位が大径孔７１となり、大径孔７１の下側部位が小径孔７２となっている。
【００２３】
繊維防水体８０は、図６に示すように、例えばプラスチック又は金属シート等の材料を用いたリング状のシート８１によって防水繊維材９０を挟んで固定された構造により呼吸孔２０の大径孔７１内に接着剤等により嵌合して固定されている。
【００２４】
このように構成される本態様でも、繊維防水体８０の防水繊維材９０により水等の液体が箱体１０内に浸入する不具合を解消することができ、例えば磁気記録ディスク１４に記録された電子データの破損等を防止でき、ＨＤＤ６０の性能、信頼性等を高めることができる。
【００２５】
次に、図９ないし図１１は本発明の実施の形態のさらに別態様を示している。なお、以下ではすでに説明した態様のものと同じ構成要素に同一の番号を付し、その説明を省略するものとする。
【００２６】
本態様に係るＨＤＤ１００は、図９に示すように箱体１０、第１の繊維防水体１１０、第２の繊維防水体１２０およびフィルタ内蔵ユニット５０を含んで構成されている。
【００２７】
第１の繊維防水体１１０は、図１０に示すように、繊維取付枠１１１と繊維取付枠１１１内に嵌合して固定された防水繊維材１１２とにより構成されている。そして、繊維取付枠１１１は例えばプラスチック等により環状の枠体として形成され、呼吸孔２０の大径孔２１内に接着材等を用いて嵌合して固定されている。
【００２８】
ここで、防水繊維材１１２には吸水ポリマーが混合されており、この吸水ポリマーは、防水繊維材１１２が吸水したときに膨張して防水繊維材１１２の繊維間の隙間を埋める機能を有している。
【００２９】
第２の繊維防水体１２０は、図１１に示すように、繊維取付ケース１２１と繊維取付ケース１２１内に嵌合して固定された防水繊維材１２２とにより構成されている。そして、繊維取付ケース１２１は例えばプラスチック等により筒状体として形成され、呼吸孔２０の小径孔２２内に隙間をもって配置されている。また、第２の繊維防水体１２０の防水繊維材１２２は第１の繊維防水体１１０の防水繊維材１１２の表面に接着材等を用いて固定されている。
【００３０】
ここで、防水繊維材１２２には、防水繊維材１１２と同様に吸水ポリマーが混合されており、この吸水ポリマーは、防水繊維材１２２が吸水したときに膨張して防水繊維材１２２の繊維間の隙間を埋める機能を有している。
【００３１】
このように構成される本態様では、水等の液体が呼吸孔２０内に浸入したときには、第１，第２の繊維防水体１１０，１２０の防水繊維材１１２，１２２内に配合した吸水ポリマーが膨張して防水繊維材１１２，１２２の繊維間の隙間を埋めるため、防水繊維材１１２，１２２により液体が呼吸孔２０内から箱体１０に浸入するのをより確実に遮断することができ、ＨＤＤ１００の性能、信頼性等をより一層高めることができる。
【００３２】
次に、図１２および図１３は本発明の実施の形態の他の態様を示している。なお、以下ではすでに説明した態様のものと同じ構成要素に同一の番号を付し、その説明を省略するものとする。
【００３３】
本態様に係るＨＤＤ１３０は、図１２に示すように箱体１０、通気性部材１４０、可撓性容器１５０および吸水ポリマー１６０を含んで構成されている。
【００３４】
通気性部材１４０は、硬質な樹脂材料等により円板状に形成され、その表面には無数の通気孔（図示せず）が厚さ方向に貫通して設けられている。また、通気性部材１４０はその中央に給水口１４０Ａが穿設されている。そして、通気性部材１４０は呼吸孔２０を構成する大径孔２１の底面にねじ（図示せず）等を用いて着脱可能に取り付けられている。
【００３５】
可撓性容器１５０は例えば弾性を有する樹脂材料等を用いて有底の円筒状に形成されている。そして、可撓性容器１５０は、その開口端側が通気性部材１４０に固定して取り付けられている。
【００３６】
吸水ポリマー１６０は可撓性容器１５０内に収容され、通気性部材１４０の給水口１４０Ａから可撓性容器１５０内に水等の液体が浸入したときには、図１３に示すように吸水ポリマー１６０が液体を吸収することにより膨張するものである。
【００３７】
このように構成される本態様では、水等の液体が呼吸孔２０内に浸入したときには、この液体が通気性部材１４０の給水口１４０Ａを通じて可撓性容器１５０内に浸入し、この液体を吸水ポリマー１６０が吸水する。この結果、図１３に示すように、吸水ポリマー１６０が可撓性容器１５０と共に膨張することにより、この可撓性容器１５０および吸水ポリマー１６０が呼吸孔２０を封止する封止栓として機能し、呼吸孔２０からの液体の浸入を確実に遮断することができる。
【００３８】
なお、前記他の態様では、可撓性容器１５０を軸方向にストレートに延びる円筒体として形成する場合を例に挙げて示したが、本発明はこれに限らず、例えば図１４に示す変形例のように可撓性容器１５０′を蛇腹状に形成してもよい。このように構成した場合でも、水等の液体が呼吸孔２０内に浸入したときには、この液体が通気性部材１４０の給水口１４０Ａを通じて可撓性容器１５０′内に浸入し、この液体を吸水ポリマー１６０が給水する。この結果、図１５に示すように吸水ポリマー１６０が膨張することにより、可撓性容器１５０′が軸方向に伸長し、可撓性容器１５０′および吸水ポリマー１６０が呼吸孔２０を封止する封止栓として機能し、呼吸孔２０からの液体の浸入を確実に遮断することができる。
【００３９】
また、前記実施の形態では、呼吸孔２０の小径孔２２内に防水体として細孔防水体４０を嵌合して取り付ける場合を例に挙げて説明したが、本発明はこれに限らず、例えば、呼吸孔２０の小径孔２２内に繊維防水体１２０を嵌合して取り付ける構成としてもよい。
【図面の簡単な説明】
【００４０】
【図１】本発明の実施の形態に係るＨＤＤの全体斜視図である。
【図２】図１中の矢印II−II方向からみた部分拡大断面図である。
【図３】図２中の繊維防水体を拡大して示す斜視図である。
【図４】図２中の細孔防水体を拡大して示す斜視図である。
【図５】本発明の別の態様に係る図２と同様の部分拡大断面図である。
【図６】図５中の繊維防水体を拡大して示す斜視図である。
【図７】図６中の繊維防水体を示す分解斜視図である。
【図８】図６中の繊維防水体を示す縦断面図である。
【図９】本発明のさらに別の態様に係る図２と同様の部分拡大断面図である。
【図１０】図９中の第１の繊維防水体を拡大して示す斜視図である。
【図１１】図９中の第２の繊維防水体を拡大して示す斜視図である。
【図１２】本発明の他の態様に係る図２と同様の部分拡大断面図である。
【図１３】吸水ポリマーが膨張した状態を示す図１２と同様の部分拡大断面図である。
【図１４】本発明の変形例による部分拡大断面図である。
【図１５】吸水ポリマーが膨張した状態を示す部分拡大断面図である。
【符号の説明】
【００４１】
１，６０，１００，１３０，  ＨＤＤ（磁気ディスク装置）、１０  箱体、１１  箱体本体、１１Ａ  第１の側壁部（壁面）、１１Ｂ  第２の側壁部（壁面）、１１Ｃ  第３の側壁部（壁面）、１１Ｄ  第４の側壁部（壁面）、１２  トップカバー（壁面）、１４  磁気記録ディスク（磁気記録媒体）、１５  ヘッドシンバルアセンブリ（ヘッドディスクアセンブリ）、２０，７０、  呼吸孔、３０，８０  繊維防水体、３２，９０，１１２，１２２  防水繊維材、４２  防水細孔材、４２Ａ  細孔、１１０  第１の繊維防水体、１２０  第２の繊維防水体、１５０，１５０′可撓性容器、１６０  吸水ポリマー。
【図１】
2007272969.tif 000003
【図２】
2007272969.tif 000004
【図３】
2007272969.tif 000005
【図４】
2007272969.tif 000006
【図５】
2007272969.tif 000007
【図６】
2007272969.tif 000008
【図７】
2007272969.tif 000009
【図８】
2007272969.tif 000010
【図９】
2007272969.tif 000011
【図１０】
2007272969.tif 000012
【図１１】
2007272969.tif 000013
【図１２】
2007272969.tif 000014
【図１３】
2007272969.tif 000015
【図１４】
2007272969.tif 000016
【図１５】
2007272969.tif 000017